(57)【要約】      （修正有）【課題】  従来光学系の点検を電気系で代替処理して省略していたものを、より実際に近づけるため乱反射材を用いた擬似煙によって動作の確認を正確に行うことが可能にするため、引き紐を引きかつ離すだけで、擬似煙の有無を峻別して発報した後、待機状態にする。【解決手段】  暗室１内で板５に備えた乱反射材２、３を光経路の中で曝露又は隠蔽して煙の有無と同様の作用をさせ、該板５の動きに合せた突起１０の動きによりスイッチ１１を切入れして曝露時には発報し隠蔽時には待機状態とする。【選択図】図４
2007200264.tif 000002
【特許請求の範囲】
【請求項１】
無反射材で外部と通気性のあるよう構成した暗室内に発光部と受光部を備え、発光部から受光部への光道に対し乱反射材を曝露又は隠蔽できるようにした板を開閉し煙の有無と同様の現象を発現させて発報動作をさせ同時に該板と連動したスイッチを切・入して発報の停止を行ない待機状態を保つようにしたことを特徴とする煙警報器。
【発明の詳細な説明】
【技術分野】
【０００１】  本発明は、火災により発生した煙を侵入検知させる暗室を備えた乱反射式かつ光電型の煙警報器に関する。
【背景技術】
【０００２】  一般家庭用の煙警報器においては、その製造過程で動作感度の設定と全体の点検を行なっている。また、普段の点検では専門の知識がなくても労力を要することなく点検することができる。（例えば、特許文献１および非特許文献１参照。）。【０００３】
【特許文献１】  特開平１０−２４１０７２号公報
【非特許文献１】  「火災便覧（第３版）日本火災学会編」、共立出版株式会社、１９９７年、Ｐ６５３〜６６６、Ｐ７６３
【発明の開示】
【発明が解決しようとする課題】
【０００４】  以上に述べた従来の煙警報器にあっては、製品として一般家庭で煙による警報が確実に動作するか点検するのに、警報器に対して煙を吹きつける或いは煙の中に入れる等を行なわなければならず待機状態への復帰も面倒であり、このため長期間不良状態のまま放置される問題点があった。【０００５】  この発明は、従来光学系の点検を電気系で代替処理して省略していたものを、より実際に近づけるため乱反射材を用いた擬似煙によって動作の確認を正確に行なうことが可能のようにし、結果として光照射装置、受光装置、警報音発生装置、電池又は電源装置等の相互の関連動作全般にわたる点検を一般家庭において簡単かつ確実に行なえることを目的としている。
【課題を解決するための手段】
【０００６】  上記の目的を達成するために、この発明は煙に対して通気性を有する構造とした面に光の無反射材を用いて暗室とし、該暗室中の光照射装置の発光部と受光装置の受光部との光の授受経路中に乱反射材を曝露又は隠蔽することにより煙の有無と同様の作用をさせるようにした。【０００７】  電池又は電源装置により電力を供給された光照射装置は連続した光を出すのではなく、十数秒ないし数十秒間隔で一瞬だけ光を発射してその一瞬の照射によって煙の有無を検出するようにすれば、消費する電力は極めて少なくても済むことになり火災時の警報にも支障はない。【０００８】  電池のような電源の場合は特に消費電力を少なくして長期間の連続使用にも耐えられるよう、ＭＯＳ型の半導体回路を用いて発光間隔を制御したり、発光部にＬＥＤを用いる等でこれに対応させる。【０００９】  電池又は電源装置より電力を供給された受光装置は、光照射装置の発光部から一瞬の乱反射光を受ける受光部に、光量に応じた電気信号を発生するフオトダイオード、太陽電池或いは抵抗値が変化するＣｄＳセル等の素子を備えておき、ある一定の光量に達した場合に受光装置の増幅器でリレー、サイリスタ、等を働かせ警報音発生装置と電源装置を連結し、一瞬の電気信号を継続した保持電流にして警報部に与え、大きい音や光で火災を報知させる。発報を止めるには一旦スイッチを切って保持電流を停止し、再びスイッチを入れ警報器を待機状態にしておく。【００１０】  電池又は電源装置は煙警報器に備えられる全ての装置に電気エネルギーを供給するため異状には十分な対策が必要である、例えば電源となる電池が容量不足となった場合、警報器内部の全ての装置に異状をきたすので、およそ２割程度の電圧降下が発生したとき、半導体のスレシホールド・レベル等を利用した電源で警告器から音や光で警告を発するようにして電池の交換を促す。【００１１】  平時の点検方法は、暗室内に設けた乱反射材の光への曝露で警報部からの発報を聞き、正常であれば乱反射材を隠蔽すると共ににスイッチを切・入れして保持電流を止め発報を停止して待機状態にする。電池の容量不足の点検は警告器から出る音や光で判断させ電池の交換を促す。スイッチの切・入と乱反射材の曝露や隠蔽は警報器の外に設けた引き紐あるいは押しボタンを動かすことで同時に行なうようにすれば極めて簡単に点検ができる。
【発明の効果】
【００１２】  上述したように本発明の煙警報器は、発光部と受光部の光の授受経路中に乱反射材の曝露と隠蔽が擬似煙として作用するため、実物の煙による検査のような面倒がない。【００１３】  また、一瞬の発光を継続した発報に転換したり、発報を停止し待機状態に保つためのスイッチの切り替えを上記乱反射材の曝露と隠蔽に連動させる必要から、点検の操作が簡単になるという効果をもたらす。
【発明を実施するための最良の形態】
【００１４】  発明の実施の形態を実施例にもとづき図面の図１〜図５を参照して説明する。天井板６と底板７の間に遮光板８防虫網９を設けて箱体の暗室１を構成する、天井板６の下面には塵埃の蓄積を避けるために発光部２０と受光部２１を下向きに取り付けておく。【００１５】  底板７には検知しようとした煙と同等の明度の乱反射材を片面に塗布又は貼付した板５を、左右に揺動可能のように回転軸４で取り付け、底板７の傾斜部分の乱反射材３は板５に付けた乱反射材２と同様のものを用いておき、板５が右に開いたときに発光部からの光に乱反射材２と乱反射材３の双方が曝露して反射光を受光部に送り込み、板５が左に閉じたときに発光部からの光から隠蔽されるようにする。【００１６】  図４、図５において、スイッチ１１の電極１２、１３は電源装置２２と光照射装置２４受光装置２５警報音発生装置２６との間の電流を断続させて全装置が正常に作動して警報部２７が発報するか、或いは発報をとめて待機状態とするかを板５の開閉動作に連携して切り替える作用をする、そのため板５の揺動中心部に設けた突起１０は板５が最大に左右に動いた状態でスイッチ１１を入の状態に、その中間で切の状態になるようにしておく。【００１７】  図４の状態では、引き紐１４は緩められレバー１５は板５を左に閉じて乱反射材２、３を隠蔽すると同時にスイッチ１１を入れて待機状態となっている。【００１８】  なおこれまでの説明を補足すると、乱反射材２、３としてあるが必ずしも両方に必要ではなく反射光量によってどちらか片方にのみ設けておく或いは材料の明度に変化をもたせてもよい。また、乱反射材２を設ける板５および乱反射材３を設ける台等の暗室１内に露出する部分は無反射材で構成しておく。暗室１の天井板６に取り付ける発光部２０と受光部２１は塵埃の蓄積を防ぐため下向きにして用いるのが良いが横向きの程度であれば支障はない。
【図面の簡単な説明】
【００１９】
【図１】暗室の縦断正面要領図である。
【図２】Ａ−Ａ断面下面要領図である。
【図３】Ｂ−Ｂ断面上面要領図である。
【図４】暗室の部分縦断要領図である。
【図５】電気回路ブロック図である。
【符号の説明】
【００２０】          １  暗室
２、３  乱反射材
４  回転軸
５  板
６  天井板
７  底板
８  遮光板
９  防虫網
１０  突起
１１、スイッチ
１２、１３  電極
１４  引き紐
１５  レバー
２０  発光部
２１  受光部
２２  電源装置
２３  警告器
２４  光照射装置
２５  受光装置
２６  警報音発生装置
２７  警報部
【図１】
2007200264.tif 000003
【図２】
2007200264.tif 000004
【図３】
2007200264.tif 000005
【図４】
2007200264.tif 000006
【図５】
2007200264.tif 000007